(57)【要約】【課題】替刃を収容する替刃ケースを一体的に備えていて、取扱い時における利便性および安全性を高めた工具を提供する。【解決手段】本発明に係るスクレーパ１は、交換用の替刃を収容する替刃ケース３０を備えている。替刃ケース３０は、スクレーパ本体１０に着脱式に装着することができ、取り外したときには、スクレーパの刃先２０を覆うカバー部材として機能する。すなわち、スクレーパ本体に着脱可能な替刃ケース３０が、刃先の保護カバーキャップとしての機能を兼ね備えている。これにより、高い利便性と安全性の両方が実現される。【選択図】図１Ｂ
2019024629.tif 000002
【特許請求の範囲】
【請求項１】
工具本体（１０）と、
工具本体に着脱可能に装着される交換可能な刃（２０）と、
交換用の替刃を収容する替刃ケース（３０）と、を備えた工具であって、
工具本体（１０）には、
替刃ケースを着脱可能に保持する第１ケース保持部（１１）と、
替刃ケースを工具本体から突出する刃先を覆って着脱可能に保持する第２ケース保持部（１２）と、が設けられている、工具。
【請求項２】
上記替刃ケース（３０）は、ケース本体（３５）と、当該ケース本体に対してヒンジ式に開閉する開閉扉（３６）と、を備えており、
上記工具本体（１０）には、第２ケース保持部（１２）に替刃ケース（３０）が取り付けられたとき当該替刃ケースの開閉扉に係合して当該開閉扉が開くのを防止する係止部（１５）が形成されている、請求項１記載の工具。
【請求項３】
上記替刃ケース（３０）は、第２ケース保持部（１２）に対して差込み式に取り付けられるものであり、
上記係止部（１５）は、第２ケース保持部に対する替刃ケースの差込み方向と平行に突出するフック部（１５）で構成されており、
替刃ケース（３０）を第２ケース保持部（１２）に差し込んで取り付けると同時に、フック部（１５）が替刃ケースの開閉扉（３６）の表面に対向して位置し、これによって開閉扉が開くのを防止する、請求項２記載の工具。
【請求項４】
前記替刃ケース（３０）は、その対向する２つの側壁（３８ａ、３８ｂ）が、ケース内方に向かって弾性的に退避可能に構成されている、請求項１記載の工具。
【発明の詳細な説明】
【技術分野】
【０００１】
本発明は、替刃交換が可能な工具に関する。
【背景技術】
【０００２】
例えばカッターナイフ等の工具において、使用するうちに刃（ブレード）が劣化した場合に、刃を交換して使用できるようにしたものが知られている。このようなカッターナイフは、交換用の替刃を複数枚収容できる替刃ケースとセットで販売されることが多く、替刃ケースの取扱いについて工夫し、利便性を高めた先行技術が幾つか存在する。
【０００３】
特許文献１に開示されたペン型のナイフは、着脱可能なキャップを備えていて、このキャップは、替刃ケースに対しても着脱可能に構成されている。替刃ケースにキャップを連結することで、ナイフスタンドが構成される。ナイフスタンドの一部として構成されることで、キャップはその紛失が防止される。また、ナイフは、カッティング作業を終えた後、ナイフをスタンドに立てて置くことで、机から転がり落ちることが防止される。
【先行技術文献】
【特許文献】
【０００４】
【特許文献１】特許第５５９７２８０号公報
【発明の概要】
【発明が解決しようとする課題】
【０００５】
本発明の目的は、替刃を収容する替刃ケースを一体的に備えた工具であって、その取扱いにおける利便性および安全性を高めたものを提供することである。
【課題を解決するための手段】
【０００６】
本発明により、以下の特徴を備えた工具が提供される。本発明の工具は、「工具本体」と「工具本体に着脱可能に装着される交換可能な刃」と「交換用の替刃を収容する替刃ケース」とを備えている。
そして、工具本体には、「替刃ケースを着脱可能に保持する第１ケース保持部」と「替刃ケースを工具本体から突出する刃先を覆って着脱可能に保持する第２ケース保持部」とが設けられている。
【０００７】
本発明における「工具」は、例えば、スクレーパやカッターナイフ、その他であって、刃（ブレード）を備えていて、当該刃の交換が可能なものを意味する。
【発明の効果】
【０００８】
上記構成を備えた本発明の工具においては、「工具本体に着脱可能な替刃ケース」が「刃先の保護カバーキャップ」としての機能を兼ね備えている。
「替刃ケース」として見た場合、当該替刃ケースが工具本体に着脱可能に保持できるので、替刃を紛失することがなく、しかも、刃の交換が必要となった場合に、その場で即座に替刃を取り出して、交換を行うことができる（利便性が高い）。
替刃ケースは、「刃先の保護カバーキャップ」としても機能するので、工具を使用しない場合には、第２ケース保持部に取り付けることで、刃先を外部から遮断することができる（安全性が高い）。しかも、キャップとして使用しない場合に、工具本体の第１ケース保持部にて保持しておくことができるので、キャップが紛失することもない。
【０００９】
以上のように、本発明の工具によれば、高い利便性と安全性の両方が実現される。
【図面の簡単な説明】
【００１０】
【図１Ａ】本発明の一実施形態に係るスクレーパ１の斜視図であって、替刃ケースを刃先保護用のキャップとして使用している状態を示している。
【図１Ｂ】図１のスクレーパ１からキャップ（替刃ケース）を取り外した状態の斜視図。
【図１Ｃ】図１で取り外されているキャップ（替刃ケース）を工具本体に固定した状態の斜視図。
【図２Ａ】図１中に示した替刃ケースを閉じた状態で示す斜視図。
【図２Ｂ】図１中に示した替刃ケースを開いた状態で示す斜視図。
【図２Ｃ】図１中に示した替刃ケースの裏面図。
【図３】スクレーパ１の全体形状を示す六面図。
【発明を実施するための形態】
【００１１】
＜スクレーパ１の基本構成＞
本発明の実施形態を、添付の図面を参照して以下に説明する。図１Ａ〜１Ｃは、本発明の一実施形態に係るスクレーパ１を示す斜視図である。詳しくは後述するが、スクレーパ１が備える替刃ケース３０は、スクレーパ本体１０に設けた凹所１１に保持できる（図１Ｃ）とともに、スクレーパ本体１０に固定された刃（ブレード）２０の保護カバーとして使用することも可能である（図１Ａ）。
【００１２】
スクレーパ１において、スクレーパ本体１０の一端が略平板状の突出部１２とされていて、この突出部１２に、刃２０を着脱可能に取り付けることができる。ツマミ１９は、劣化した刃２０を交換する場合に操作するもので、これを緩めると刃２０を保持する機構が緩んで、刃２０を取り外すことができる。
【００１３】
＜替刃ケース３０＞
スクレーパ１は、替刃ケース３０を備えており、この替刃ケース３０は、スクレーパ本体に設けた凹所１１内に着脱可能に保持される。替刃ケース３０は、その内部に替刃（図示せず）を複数枚収容することが可能で、ユーザは、刃２０の切れ味が劣化した場合等に、当該刃２０を、替刃ケース３０に収容された替刃と交換することができる。使用後の刃２０は、替刃ケース３０内に入れておいても、適宜の方法で廃棄してもよい。
【００１４】
本発明のスクレーパ１において、替刃ケース３０は、スクレーパ本体１０上の２つの位置に、選択的に取り付けることが可能である。
１つ目の位置は、本体中央に設けた凹所１１（第１ケース保持部）である。２つ目の位置は、本体端部（刃２０の根元）に設けた突出部１２（第２ケース保持部）である。これら２つの取付け位置に応じて、替刃ケース３０は、下に説明する２つの有利な特徴をもたらす。
【００１５】
＜有利な特徴１＞
替刃ケース３０がスクレーパ本体１０に着脱可能に保持される構成を採用することで、替刃の紛失を防ぐことができる、替刃を常にスクレーパと一体化しておくことで必要な場合に即座に刃を交換できる、その他のメリットが得られる。
図示した例では、替刃ケース３０は、スクレーパ本体１０に設けた凹所１１内に着脱可能に装着される。また、替刃ケース３０を凹所１１内に取り付けたとき、替刃ケースの表面３０ａとスクレーパ本体の表面１０ａとが実質的に面一となるように構成している（図１Ｃ）。これにより、替刃ケース３０とスクレーパ本体１０の見た目の一体感が高まり、優れたデザイン性（高い意匠性）を実現することができる。
【００１６】
＜有利な特徴２＞
凹所１１から取り外した替刃ケース３０が、刃２０を外部から遮断するカバー部材として機能し、これにより、刃２０を破損等から保護するとともに、不使用時の安全性を確保できる。すなわち、ユーザはスクレーパ１を使用しない場合は、替刃ケース３０をカバー部材として使用し、スクレーパ１を持って作業するときは、替刃ケース３０を凹所１１に固定しておくことができる。
図示した例では、替刃ケース３０は、その側面から内方に侵入する凹部３１が形成されている（替刃を収容する空間は、凹部３１の上方に確保される）。替刃ケース３０を突出部１２に装着する場合、突出部１２の全体が刃２０とともに凹部３１内に進入し、刃２０が外部から遮断される。突出部１２は、凹部３１内に進入するとともに、凹部３１の内面側に圧接し、これにより、替刃ケース３０は、刃２０をカバーした状態でスクレーパ本体１０に固定される。
【００１７】
＜替刃ケース３０が不用意に開くことを防止するフック部１５＞
図２Ａ、２Ｂに示すように、替刃ケース３０は、替刃が収容されるケース本体３５と、ケース本体３５に対してヒンジ式に開閉する開閉扉３６と、で構成されている。ヒンジ結合部３６ａは、ケース本体３５において、凹部３１が開口する壁面と反対側に位置している。
替刃ケース３０は、凹部３１に対して突出部１２を差し込むことで、スクレーパ本体１０に取り付けられる。替刃ケース３０は、摩擦係合あるいはスナップフィット等、一般的に知られた方式で、スクレーパ本体１０にガタツクことなく固定できる。
一方、スクレーパ本体１０側に形成されたフック部１５は、替刃ケース３０が不用意に開くことを防止する係止部（ロック機構）として機能する。すなわち、フック部１５は、突出部１２に対する替刃ケース３０の差込み方向と平行に突出していて、替刃ケース３０を突出部１２に取り付けると、これと同時にフック部１５が替刃ケースの開閉扉３６の表面に対向して位置する。その結果、開閉扉３６が開方向に回転することが防止される。
すなわち、替刃ケース３０が突出部１２に固定された状態では、開閉扉３６を開けることができず、したがって、開閉扉３６が不用意に開いてしまうことが未然に防止できる。
【００１８】
＜退避する弾性側壁３８ａ、３８ｂ＞
図２Ｃは、替刃ケース３０の裏面を示している。替刃ケース３０の対向する２つの側壁３８ａ、３８ｂは、その内側に退避用の空間３９ａ、３９ｂを設けている。これにより、ユーザが側壁３８ａ、３８ｂを両外側から掴んだ時、側壁が弾性的に内側へと適度に湾曲して、差込みおよび取外し時等における操作感が良くなる、あるいはグリップ性能が向上するという利点がある。
さらに、側壁３８ａ、３８ｂの表面（好ましくは中央）に適度な突起３３ａ、３３ｂを設けておけば、替刃ケース３０をスクレーパ本体１０の凹所１１内に装着したときに、凹所１１の内壁面が突起３３ａ、３３ｂに圧接して側壁３８ａ、３８ｂを弾性的に退避させることで、適度なグリップ力をもって替刃ケース３０を凹所１１内に固定することができる。
替刃ケース３０を凹所１１から簡単に取り出すために、スクレーパ本体１０の裏側に開口１４を設けている（図１Ａ、１Ｂ参照）。ユーザは、開口１４を通して指先等で替刃ケース３０の裏面を押すことで、簡単に替刃ケース３０をスクレーパ本体１０から取り外すことができる。
【００１９】
図示の例では、前述したように、替刃ケースの表面３０ａとスクレーパ本体の表面１０ａとが実質的に面一となるように構成している（図１Ｃ）。この構成と、ヒンジ式に開閉する替刃ケース３０の構成とが相俟って、替刃ケース３０がスクレーパ本体１０の凹所１１内に固定されている場合、替刃ケース３０が不用意に開いてしまうことが確実に防止できる。替刃ケース３０は、凹所１１から取り外して初めて、開けることが可能となる（安全性が高い）。
【００２０】
＜他の実施形態＞
（１）
図示した実施形態では、替刃ケース３０は、ヒンジ式に開閉する開閉扉３６を備えた構成としているが、本発明において、替刃ケースの具体的な形態は、適宜変更することが可能である。
そして、ヒンジ開閉式の替刃ケースを採用する場合、当該開閉扉が不用意に開いてしまうことを防止する係止部は、図示の例ではフック部１５がその機能を果たしているが、そのような構成に限定されることなく、適宜の構成を採用することが可能である。
（２）
第１ケース保持部（図示の例では、凹所１１）および第２ケース保持部（図示の例では、突出部１２）が、替刃ケース３０を保持する具体的な態様は、図示のものに限られず、適宜の構成を採用することが可能である。
ただ、図示した例では、（ｉ）替刃ケース３０が突出部１２に差込み式で固定されるものであって、かつ（ｉｉ）フック部１５が当該差込み方向と平行に突出しているが故に、替刃ケース３０を突出部１２に取り付けると、これと同時にフック部１５が開閉扉３６をロックすることとなり、操作性および安全性の両面で極めて優れたものとなる。
（３）
図示した実施形態では、スクレーパを例にとって本発明を説明している。しかし、本発明は、スクレーパに限定されるものではなく、例えばカッターナイフ等、刃の交換が可能なあらゆる工具に適用することができる。
【符号の説明】
【００２１】
１  スクレーパ（工具）
１０  スクレーパ本体
１１  凹所（第１ケース保持部）
１２  突出部（第２ケース保持部）
１４  開口
１５  フック部（係止部）
１９  ツマミ
２０  刃（ブレード）
３０  替刃ケース
３１  凹部
３５  ケース本体
３６  開閉扉
３６ａ  ヒンジ結合部
【図１Ａ】
2019024629.tif 000003
【図１Ｂ】
2019024629.tif 000004
【図１Ｃ】
2019024629.tif 000005
【図２Ａ】
2019024629.tif 000006
【図２Ｂ】
2019024629.tif 000007
【図２Ｃ】
2019024629.tif 000008
【図３】
2019024629.tif 000009